(57)【要約】【課題】一回のコインの投入でコインロッカーからの荷物の出し入れが何回でも行えるようにする。【解決手段】有料硬貨通路８に所定枚数のコインが導入された際にこれを検知し、さらに投入されたコインをデポジット硬貨通路９側に案内させる通路切替レバー１０と、デポジット硬貨通路９内へのコインの余剰導入を阻止する余剰貨投入防止レバー１１と、施錠状態にあるカスタムキー挿入シリンダー２８からカスタムキーＱを引き抜いた際に退避する係脱ピン１９を介して開くことで有料硬貨通路８内に停留しているコインを落下させる枚数切替プレート２３と、ロッカー使用後リターン停留フラケット１６を開きデポジット硬貨通路９に停留しているコインを落下させるリセット用プッシュピン１２を備えて成る。【選択図】図２
2007132014.tif 000002
【特許請求の範囲】
【請求項１】
カスタムキー挿入シリンダー、コイン投入口、コイン返却口それぞれを備えた前面フレームと、コイン投入口から通じる有料硬貨通路、デポジット硬貨通路それぞれを形成すべく前面フレームの側面に形成したサイドフレームとを備えたキーシステムであって、有料硬貨通路に所定枚数のコインが導入された際にこれを検知し、さらに投入されたコインをデポジット硬貨通路側に案内させる通路切替レバーと、デポジット硬貨通路内へのコインの余剰導入を阻止する余剰貨投入防止レバーと、施錠状態にあるカスタムキー挿入シリンダーからカスタムキーを引き抜いた際に退避する係脱ピンを介して開くことで有料硬貨通路内に停留しているコインを集金ボックス内に落下させる枚数切替プレートと、ロッカー使用後リターン停留フラケットを開きデポジット硬貨通路に停留しているコインを落下させるリセット用プッシュピンを備えたことを特徴とするキーシステム。
【請求項２】
枚数切替プレートの回動軸側には、リターン貨仮止めレバーが回動可能に取り付けられ、該リターン貨仮止めレバー下部側の一端に突出した突起がリターン停留ブラケットの係止片とは反対側の上面に載架され、上部側の他端に突出した突起が通路切替えレバーの有料硬貨通路側の突起上に配置されており、有料硬貨通路側にコインが停留しているときには、通路切替えレバーの突起がリターン貨仮止めレバーの突起と共にコインによって押し上げられ、リターン貨仮止めレバーの他方の突起により、リターン停留ブラケットが係止され、リターン停留ブラケットの開方向への動作を阻止することで、コイン投入後施錠前にリセット用プッシュピンを押してもデポジット硬貨通路内のコインをコイン返却口に落下させないように保持させるようにしたことを特徴とするキーシステム。
【請求項３】
ラッチレバーブラケットの周側面の他方側に突出した突起にはリターンストッパーが係合され、カスタムキーによるラッチレバーブラケットの施錠回転位置においては、リターンストッパーがリターン停留ブラケットの突起を介して当該リターン停留ブラケットの開方向への回転を阻止して常時閉鎖された状態を維持することで、リセット用プッシュピンの押圧操作を行なってもリターン停留ブラケットのコインストップネジによってデポジット硬貨通路内にコインが停留維持されるものとした請求項１記載のキーシステム。
【請求項４】
ラッチレバーブラケットの先端には、一回転方向に回動付勢させたコインチェッカーと、このコインチェッカーと同軸で、左右両回転方向に揺動自在となって枢着されたチェッカーストッパーとを備え、コインチェッカーの先端側は、デポジット硬貨通路内にコインが停留している時にはデポジット硬貨通路から退避され、ラッチレバーブラケットのカスタムキーによる施錠方向への回転が許容され、デポジット硬貨通路内にコインが停留していない時には、コインチェッカーを係止させてカスタムキーによるラッチレバーブラケットの回転を阻止するものとし、さらにラッチレバーブラケットからのカスタムキーの引き出しにより、チェッカーストッパーによってコインチェッカーの回転を阻止するものとした請求項１または２記載のキーシステム。
【請求項５】
コイン投入口の後方側には、一端を支点として回動可能としたセレクターアームと、該セレクターアームの先端側を係入させた状態で回動可能としたＶ字形状のリンクプレートとが配され、コイン投入口から投入された適正寸法のコインだけがセレクターアームを支点を回転中心にして押し上げ、該セレクターアーム先端がリンクプレートのＶ字形状のアーム一端側を上方へ回動させるのと一体となってＶ字形状のアーム他端側が上方へ押し上げ退避させられることでコインを案内可能とした請求項１乃至３のいずれか記載のキーシステム。
【発明の詳細な説明】
【技術分野】
【０００１】
本発明は、コインロッカー等で所定枚数のコインで何回でも荷物の出し入れを可能としたキーシステムに関する。
【背景技術】
【０００２】
従来、コインロッカーのキーシステムは、扉を開けてコインロッカー内に荷物を入れ、コイン投入口から所定枚数のコインを投入してから扉を閉め、予めキーシリンダーに挿入されているカスタムキーを施錠方向に回動してから引き抜き、利用者はこのカスタムキーを所持するものとしていた。
【０００３】
しかしながら、従来におけるキーシステムは、所定枚数のコインでもって荷物の出し入れを一回しか行なうことができず、何回もの荷物の出し入れのためにコインロッカーを開け閉めをしたいときは、その都度、コインを投入しなければならなかった。
【０００４】
このような欠点を解消すべく従来では、コインロッカーのキーシステムにおけるカスタムキーを一度施錠した後に当該カスタムキー自体をカスタムキー挿入シリンダーから抜き出しても、最終的にはリセット用プッシュピンを押さない限り、カスタムキーを使って何回でも扉の開閉が行なうことができ、これによって新たにコインをコイン投入口に投入しなくてもコインロッカーからの荷物の出し入れが何回でも行うことができるキーシステムが提供されている。すなわち、コイン投入口に連続して回収コイン通路とコイン返却口に連通する返却コイン通路を並設し、両通路にコインを投入することで、リセット用プッシュピンを押さない限り、カスタムキーを使って何回でも扉の開閉が行なうことができ、最終的にコインロッカーの使用をやめる場合に、解錠状態でリセット用プッシュピンを押すことで、回収コイン通路のコインを落下回収させ、且つ返却コイン通路のコインをコイン返却口に落とすものとなっている。
【０００５】
さらに、このような従来のコインロッカーのキーシステムを具体化するものとして、特許文献１に開示されているようなコインロッカー用錠装置がある。すなわち、コイン投入口に連続して回収コイン通路とコイン返却口に連通する返却コイン通路を並設し、各通路にコイン保持プレートを回動可能に設け、コイン保持プレートのコインストッパーを両通路に進入させてコインを支持し、施錠状態において、施錠桿駆動レバーに設けた移動拘束部材がコイン保持プレートの動作を拘束し、コイン釈放操作軸の動作を駆動コイルバネが収縮することで吸収させ、解錠状態においてはコイン釈放操作軸の動作を駆動コイルバネを介してコイン保持プレートに伝達することでコインストッパーが保持するコインを釈放するものである。
【特許文献１】特開２００２−２６９６３４号公報
【発明の開示】
【発明が解決しようとする課題】
【０００６】
しかしながら、従来におけるキーシステムは、何回もの荷物の出し入れのためにコインロッカーの使用を新たなコインの投入無しで自由に行えるものの、最終使用以前の操作中に利用者が誤ってリセット用プッシュピンを押してしまうことが多々にしてあり、これにより使用途中にもかかわらず回収コイン通路が開き、保留中のコインが落下、回収されてしまうものであった。このため、新たにコインを投入後、再操作しなければ再利用できない不便があった。
【０００７】
そこで、本発明は、叙上のような従来存した諸事情に鑑み創出されたもので、コインロッカーのキーシステムにおけるカスタムキーを一度施錠した後に当該カスタムキー自体をカスタムキー挿入シリンダーから抜き出しても、最終的にはリセット用プッシュピンを押さない限り、カスタムキーを使って何回でも扉の開閉が行なうことができると共に、使用中に利用者が誤ってリセット用プッシュピンを押してしまっても、新たにコインをコイン投入口に投入後、再操作することなくコインロッカーからの荷物の出し入れが何回でも行うことができ、さらに、施錠後にカスタムキーをカスタムキー挿入シリンダーから抜き出した際に、返却コイン通路のコインを停留させたまま、回収コイン通路内のコイン全てを予め回収させることで、以後は返却コイン通路に停留させてあるコインのみによりカスタムキーを使って何回でも扉の施錠・解錠を容易に行なうことができるようにしたキーシステムを提供することを目的とする。
【課題を解決するための手段】
【０００８】
上述した課題を解決するため、本発明にあっては、カスタムキー挿入シリンダー、コイン投入口、コイン返却口それぞれを備えた前面フレームと、コイン投入口から通じる有料硬貨通路、デポジット硬貨通路それぞれを形成すべく前面フレームの側面に形成したサイドフレームとを備えたキーシステムであって、有料硬貨通路に所定枚数のコインが導入された際にこれを検知し、さらに投入されたコインをデポジット硬貨通路側に案内させる通路切替レバーと、デポジット硬貨通路内へのコインの余剰導入を阻止する余剰貨投入防止レバーと、施錠状態にあるカスタムキー挿入シリンダーからカスタムキーを引き抜いた際に退避する係脱ピンを介して開くことで有料硬貨通路内に停留しているコインを集金ボックス内に落下させる枚数切替プレートと、ロッカー使用後リターン停留フラケットを開きデポジット硬貨通路に停留しているコインを落下させるリセット用プッシュピンを備えたものである。
【０００９】
枚数切替プレートの回動軸側には、リターン貨仮止めレバーが回動可能に取り付けられ、該リターン貨仮止めレバー下部側の一端に突出した突起がリターン停留ブラケットの係止片とは反対側の上面に載架され、上部側の他端に突出した突起が通路切替えレバーの有料硬貨通路側の突起上に配置されており、有料硬貨通路側にコインが停留しているときには、通路切替えレバーの突起がリターン貨仮止めレバーの突起と共にコインによって押し上げられ、リターン貨仮止めレバーの他方の突起により、リターン停留ブラケットが係止され、リターン停留ブラケットの開方向への動作を阻止することで、コイン投入後施錠前にリセット用プッシュピンを押してもデポジット硬貨通路内のコインをコイン返却口に落下させないように保持させるようにしたものである。
【００１０】
ラッチレバーブラケットの周側面の他方側に突出した突起にはリターンストッパーが係合され、カスタムキーによるラッチレバーブラケットの施錠回転位置においては、リターンストッパーがリターン停留ブラケットの突起を介して当該リターン停留ブラケットの開方向への回転を阻止して常時閉鎖された状態を維持することで、リセット用プッシュピンの押圧操作を行なってもリターン停留ブラケットのコインストップネジによってデポジット硬貨通路内にコインが停留維持されるものとすることができる。
【００１１】
また、ラッチレバーブラケットの先端には、一回転方向に回動付勢させたコインチェッカーと、このコインチェッカーと同軸で、左右両回転方向に揺動自在となって枢着されたチェッカーストッパーとを備え、コインチェッカーの先端側は、デポジット硬貨通路内にコインが停留している時にはデポジット硬貨通路から退避され、ラッチレバーブラケットのカスタムキーによる施錠方向への回転が許容され、デポジット硬貨通路内にコインが停留していない時には、コインチェッカーを係止させてカスタムキーによるラッチレバーブラケットの回転を阻止するものとし、さらにラッチレバーブラケットからのカスタムキーの引き出しにより、チェッカーストッパーによってコインチェッカーの回転を阻止するものとして構成することができる。
【００１２】
さらに、コイン投入口の後方側には、一端を支点として回動可能としたセレクターアームと、該セレクターアームの先端側を係入させた状態で回動可能としたＶ字形状のリンクプレートとが配され、コイン投入口から投入された適正寸法のコインだけがセレクターアームを支点を回転中心にして押し上げ、該セレクターアーム先端がリンクプレートのＶ字形状のアーム一端側を上方へ回動させるのと一体となってＶ字形状のアーム他端側が上方へ押し上げ退避させられることでコインを案内可能とした。
【００１３】
以上のように構成された本発明に係るキーシステムにあって、システム本体上側のコイン投入口に所定枚数を投入されたコインは、システム本体内部の有料硬貨通路およびデポジット硬貨通路で一時停留され、その間は扉を閉めてからカスタムキーを施錠状態にしても、リセット用プッシュピンを押さない限りは、再度カスタムキーを解錠状態にして扉を開放可能にさせる。
【００１４】
そして、扉を閉めた状態でカスタムキーを引き抜いた時点で、システム本体内部の有料硬貨通路に停留していたコインを、下方側にある集金ボックス内に落下させる。このとき、システム本体内部のデポジット硬貨通路にあるコインはこのまま停留されている。
【００１５】
また、カスタムキーの施錠状態でリセット用プッシュピンの押圧操作を行なってもリターンストッパーがリターン停留ブラケットの突起を介して当該リターン停留ブラケットの開方向への回転を阻止しているため、リターン停留ブラケットのコインストップネジによってデポジット硬貨通路内にコインが停留維持される。これにより、施錠後に利用者が使用をやめる意志がないにもかかわらず誤ってリセット用プッシュピンを押してしまってもコインは返却されず、カスタムキーによる再度の施錠・解錠操作が可能となる。
【００１６】
而して、コインロッカーの使用を最終的にやめる場合には、カスタムキーの解錠状態でリセット用プッシュピンを押すことで、システム本体内部のデポジット硬貨通路に停留されているコインをシステム本体下側の返却口に落下させて利用者に返却され、カスタムキーによる施錠が不可能となる。
【発明の効果】
【００１７】
本発明によれば、コインロッカーのキーシステムにおけるカスタムキーを一度施錠した後に当該カスタムキー自体をカスタムキー挿入シリンダーから抜き出しても、最終的にはリセット用プッシュピンを押さない限り、カスタムキーを使って何回でも扉の開閉が行なうことができると共に、使用中に利用者が誤ってリセット用プッシュピンを押してしまっても、新たにコインをコイン投入口に投入することなくコインロッカーからの荷物の出し入れが何回でも行うことができ、さらに、施錠後にカスタムキーをカスタムキー挿入シリンダーから抜き出した際に、返却コイン通路のコインを停留させたまま、回収コイン通路内のコインを全てを予め回収させることで、以後は返却コイン通路内に停留されているコインのみによりカスタムキーを使って何回でも扉の施錠・解錠を容易に行なうことができる。
【発明を実施するための最良の形態】
【００１８】
以下、図面を参照して本発明を実施するための最良の一形態を説明すると、図において示される符号１は、コインロッカーにおける本発明に係るキーシステムのシステム本体であり、該システム本体１は、図１以下に示すように、カスタムキー挿入シリンダー２８、スライドフレーム３０に連繋したマスターカム３１を有するマスターキー挿入シリンダー２９、リセット用プッシュピン１２、コイン投入口２６、コイン返却口２７それぞれを備えた前面フレーム２と、コイン投入口２６から通じる有料硬貨通路８、デポジット硬貨通路９それぞれを形成するためにコインメカフレーム７で隔てられた左側サイドフレーム３と、該左側サイドフレーム３に対向してスライドフレーム３０を配した前面フレーム２右側に形成され、コインロッカーの扉の取っ手側に対向するロッカー開口縁部に固定される右側サイドフレーム４とによって構成されている。
【００１９】
また、図７に示すように、コイン投入口２６の後方側には、一端を支点として回動可能としたセレクターアーム２４と、該セレクターアーム２４の先端側を係入させた状態で回動可能とした略Ｖ字形状のリンクプレート２５とが配されおり、コイン投入口２６からコインＰが投入されると、例えば５００円玉等の大径のコインＰの場合には、入口の投入枠より入らないものとなり、また例えば１円玉等の小径のコインＰの場合には、リンクプレート２５の先端側で規制されて入らないものとなっている。そして、コイン投入口２６から投入される１００円玉による適正寸法のコインＰだけがセレクターアーム２４を支点を回転中心にして押し上げ、該セレクターアーム２４先端がリンクプレート２５のＶ字形状のアーム一端側を上方へ回動させるのと一体となって略Ｖ字形状のアーム他端側が上方へ押し上げ退避させられることで当該コインＰが通過するようになっている。
【００２０】
コインメカフレーム７の表面上側には、両側支持部によって揺動可能とした通路切替えレバー１０が傾斜して配され、該通路切替えレバー１０の両端後側ににそれぞれ突設した突起１０ａ、１０ｂが、有料硬貨通路８、デポジット硬貨通路９それぞれに対応すべくコインメカフレーム７に穿設した孔部を介して、有料硬貨通路８、デポジット硬貨通路９それぞれに臨み込ませるようにしてある。これにより、コイン投入口２６から投入されたコインＰは、先ず有料硬貨通路８側に所定の枚数だけ案内され、最後のコインＰが有料硬貨通路８に入ると、通路切替えレバー１０の一方の突起１０ｂがコインＰ表面によって押されて退避されると同時に他方の突起１０ａも一体となって退避されるため、コイン投入口２６から更に投入されたコインＰは、有料枚数の最後のコインＰの有るのを検知してデポジット硬貨通路９側へ案内されるものとしてある。
【００２１】
さらに、通路切替えレバー１０に並行して、コインメカフレーム７の表面上側には、両側支持部によって揺動可能とした余剰貨投入防止レバー１１が配され、該余剰貨投入防止レバー１１の両端に互いに逆向きとなって突設した突起１１ａ、１１ｂが、デポジット硬貨通路９の上下２箇所に対応すべくコインメカフレーム７に穿設した孔部を介して、デポジット硬貨通路９内に余剰貨投入防止レバー１１の梃子動作によって上下交互に臨み込ませるようにしてある。
【００２２】
これにより、デポジット硬貨通路９内に最後のコインＰが入ると余剰貨投入防止レバー１１の下側の突起１１ｂがコインＰ表面によって押されてデポジット硬貨通路９から退避されると同時に他方の突起１１ａは余剰貨投入防止レバー１１の梃子動作によってデポジット硬貨通路９内の上方に突入されてコイン投入口２６からこれ以上コインＰが投入されないようにしてある。
【００２３】
カスタムキー挿入シリンダー２８のラッチレバーブラケット１８は、扉が閉まった際の扉チェッカープレート（前面フレーム２の表面に突出する）が押し込まれた状態で、ラッチレバーブラケット１８の係止が外れて、カスタムキー挿入シリンダー２８に挿入されたカスタムキーＱによってラッチＬが突出する施錠方向またはラッチＬが退避する解錠方向のいずれか側に回動可能となっている。
【００２４】
また、ラッチレバーブラケット１８の後端側には、施錠状態にあるカスタムキー挿入シリンダー２８にカスタムキーＱが挿入された際に押圧されて後方側へ突出されるものとした係脱ピン１９が擢動自在に配されており、該係脱ピン１９によって係脱プレート２２が押されることで枚数切替プレート２３の上下所要位置がコインメカフレーム７側に閉じ、枚数切替プレート２３に設けられたコインストップネジ２３ａ先端部が、有料硬貨通路８に沿ってコインメカフレーム７に穿設された孔部から、有料硬貨通路８内に突入されてコインＰの落下を阻止している。
【００２５】
そして、施錠状態にあるカスタムキー挿入シリンダー２８からカスタムキーＱを引き抜くことで、係脱ピン１９が退避され、係脱プレート２２を介して、枚数切替プレート２３が自体のバネによる回動付勢によってインメカフレーム７から開き、コインストップネジ２３ａの先端部が孔部から離脱されて有料硬貨通路８内のコインＰを下方側にある不図示の集金ボックス内に落下させるようにしてある。すなわち、第１回目の施錠後カスタムキー挿入シリンダー２８からカスタムキーＱを引き抜いた段階で既に有料硬貨通路８内の全てのコインＰが下方の集金ボックス内に落下するものとなっている。したがって、第２回目以降の施・解錠によって従来のキーシステムのように有料硬貨通路８内のコインＰがリセット用プッシュピン１２の押圧操作によって枚数切替プレート２３が開いて落下するようなことはそもそもありえないのである。
【００２６】
有料硬貨通路８に沿って形成されている孔部および該孔部に対応して枚数切替プレート２３に取り付けられるコインストップネジ２３ａそれぞれの位置は、有料硬貨通路８に保留されるコインＰの枚数に応じてかつ上下方向へ所定の間隔を置いて設定される。すなわち、図１２示すように、有料硬貨通路８に１００玉コインを三枚保留させ且つデポジット硬貨通路９内に１００玉コインＰを一枚保留させる仕様によって構成されている場合には、最後の三枚目のコインＰが通路切替えレバー１０の一方の突起１０ｂの位置に来るように、一枚目のコインＰがコインストップネジで係止される有料硬貨通路８の途中位置に対応してコインストップネジ２３ａが取り付けられる。このとき、四枚目のコインＰは通路切替えレバー１０の検知によってデポジット硬貨通路９内に導入される。
【００２７】
また、図１３に示すように、有料硬貨通路８に１００玉コインＰを五枚保留させ且つデポジット硬貨通路９内に１００玉コインＰを二枚保留させる仕様によって構成されている場合には、最後の五枚目のコインＰが通路切替えレバー１０の一方の突起１０ｂの位置に来るように、一枚目のコインＰがコインストップネジで係止される有料硬貨通路８の最下端位置に対応してコインストップネジ２３ａが取り付けられる。このとき、六枚目および七枚目のコインＰは通路切替えレバー１０の検知によってデポジット硬貨通路９内に導入される。
【００２８】
ラッチレバーブラケット１８の周側面は軸方向の一方側に突出してあり、その先端における一側面側に弦巻バネを係架配置させることでラッチレバーブラケット１８自体をラッチＬが退避する解錠方向に常時回動付勢させてある。また、ラッチレバーブラケット１８の先端における軸方向の他側面側には、弦巻バネを介して一回転方向（図中反時計廻り）に回動付勢させたコインチェッカー２０と、このコインチェッカー２０と同軸で、左右両回転方向に揺動自在となるチェッカーストッパー２１とが枢着されている。
【００２９】
こうして、デポジット硬貨通路９内にコインＰが停留している時には、コインチェッカー２０の先端がコインＰ表面によって押されてデポジット硬貨通路９から退避されるものとなってラッチレバーブラケット１８のカスタムキーＱによる施錠方向への回転が許容される。このとき、コインＰは、デポジット硬貨通路９内に突出しているリターン停留ブラケット１６のコインストップネジ１６ａによって係止されている。
【００３０】
そして、チェッカーストッパー２１の先端は二股となって前記係脱ピン１９を挟み込むように連繋し、カスタムキー挿入シリンダー２８に挿入したカスタムキーＱの押し込み乃至引き出しによる係脱ピン１９の進出・退避移動に伴ってチェッカーストッパー２１の先端は前後に揺動するようにしてある。
【００３１】
すなわち、カスタムキーＱによる施錠後、当該キーＱを引き出したときはコインチェッカー２０の上端に設けられた係止爪（不図示）によってチェッカーストッパー２１の上縁は係止されており、一方解錠のためのカスタムキーＱの押し込みによって係脱ピン１９が進出することに伴いチェッカーストッパー２１が前方へ揺動してコンチェッカー２０の当該係止爪から離脱するものとなっている。これによって、カスタムキーＱの解錠方向への回動が許容されるものとなりラッチＬのロッカー本体に対する係合が解かれる。
【００３２】
また、前記したリセット用プッシュピン１２の先端は、中央支点部を介して前後に揺動可能としたリターンアーム１３の一端側にコイルスプリングを介して連繋され、リターンアーム１３の他端側には、Ｌ字形状のリターン板バネ１４が取り付けられている。このリターン板バネ１４の先端は、コインメカフレーム７に対して開閉動可能に配され且つバネにより閉方向に付勢されているリターン停留ブラケット１６の後端に垂直に立設されている係止片１６ａに係合されている。
【００３３】
さらに、図２、図５および図１０に示すように、枚数切替プレート２３の回動軸側には、リターン貨仮止めレバー１７が回動可能に取り付けられ、該リターン貨仮止めレバー１７下部側の一端に突出した突起１７ａがリターン停留ブラケット１６の係止片１６ａとは反対側（前端側）の上面に載架され、上部側の他端に突出した突起１７ｂが前記通路切替えレバー１０の有料硬貨通路８側の突起１０ｂの切欠き上に配置されている。
【００３４】
そして、有料硬貨通路８側にコインＰが停留しているときには、通路切替えレバー１０の突起１０ｂがリターン貨仮止めレバー１７の突起１７ｂと共にコインＰによって押し上げられ、リターン貨仮止めレバー１７の他方の突起１７ａにより、リターン停留ブラケット１６が係止され、リターン停留ブラケット１６の開方向への動作を阻止することで、リセット用プッシュピン１２を押してもリターン停留ブラケット１６のコインストップネジ１６ｂはデポジット硬貨通路９内に挿入された状態を維持してデポジット硬貨通路９内のコインＰをコイン返却口２７に落下させないようにしてある。
【００３５】
また、ラッチレバーブラケット１８の周側面の他方側（下方位置）には突起１８ａが設けられると共に、この突起１８ａ背面の基端と先端下方には係止ピン１８ｂ、１８ｃがそれぞれ突設されている。
【００３６】
このうち、突起１８ａの係止ピン１８ｂはリターンストッパー１５に対して係・脱自在となっており、カスタムキーＱによるラッチレバーブラケット１８の施錠回転位置においては、当該係止ピン１８ｂがリターン停留ブラケット１６の係止片１６ａを介してこのリターン停留ブラケット１６の開方向への回転を阻止して常時閉鎖された状態を維持することで、リターン停留ブラケット１６のコインストップネジ１６ｂによってデポジット硬貨通路９内にコインＰが停留維持されるようにしてある。これにより、カスタムキーＱの施錠状態で利用者が誤ってリセット用プッシュピン１２の押圧操作を行なってもリターン板バネ１４がリターン停留ブラケット１６へ係止されて開方向への回転が阻止されるためデポジット硬貨通路９内に停留しているコインＰをコイン返却口２７に落下させないように保持される。
【００３７】
一方、カスタムキーＱによるラッチレバーブラケット１８の解錠回転位置においては、突起１８の係止ピン１８ｂによるリターン停留ブラケット１６の係止片１６ａに対する係止が解除され当該リターン停留ブラケット１６の開方向への回転を許容するため、リセット用プッシュピン１２の押圧操作によりリターンアーム１３を介してリターン停留ブラケット１６が開方向に回動し、リターン停留ブラケット１６のコインストップネジ１６ｂがデポジット硬貨通路９内から退避されることによってデポジット硬貨通路９内に停留していたコインＰをコイン返却口２７に落下させるようにしてある。
【００３８】
さらに、カスタムキーＱによるラッチレバーブラケット１８の施錠位置においては、その突起１８ａ先端に設けられた係止ピン１８ｃがリターンストッパー１５基端に設けられた突起１５ａに係止してこれを図４の時計廻り方向へ回動させ、リターンストッパー１５の基端に設けられた遮蔽部１５ｂをコイン返却口２７に臨ませるものとなっている。これによってコイン返却口２７は閉鎖され、停留中のコインＰの抜き取り等を防止することが可能となっている。
【００３９】
次に、以上のように構成された最良の形態についての使用、動作の一例について説明すると、先ず、コインロッカーの扉を開けてから該ロッカー内に荷物を入れ、システム本体１のコイン投入口２６から所定枚数のコインＰを投入する。このとき、カスタムキー挿入シリンダー２８にカスタムキーＱが挿入されているため、押圧されて後方側へ突出されている係脱ピン１９によって係脱プレート２２が押されていることで枚数切替プレート２３がコインメカフレーム７側に閉じ、枚数切替プレート２３に設けられたコインストップネジ２３ａが、有料硬貨通路８に沿ってコインメカフレーム７に穿設された孔部から、有料硬貨通路８内に突入されてコインＰの落下を阻止している。
【００４０】
図１２に示すように、有料硬貨通路８に１００玉コインを三枚保留させ且つデポジット硬貨通路９内に１００玉コインＰを一枚保留させる仕様によって構成されている場合には、一枚目のコインＰがコインストップネジ２３ａで係止され、最後の三枚目のコインＰが通路切替えレバー１０の一方の突起１０ｂの位置に来る。そして、四枚目のコインＰは通路切替えレバー１０の検知によってデポジット硬貨通路９内に導入される。
【００４１】
また、図１３に示すように、有料硬貨通路８に１００玉コインを五枚保留させ且つデポジット硬貨通路９内に１００玉コインＰを二枚保留させる仕様によって構成されている場合には、一枚目のコインＰがコインストップネジ２３ａで係止され、最後の五枚目のコインＰが通路切替えレバー１０の一方の突起１０ｂの位置に来る。そして、六枚目および七枚目の二つのコインＰは通路切替えレバー１０の検知によってデポジット硬貨通路９内に導入される。このコインＰは、デポジット硬貨通路９内に突出しているリターン停留ブラケット１６のコインストップネジ１６ａによって係止される。
【００４２】
また、デポジット硬貨通路９内にコインＰが停留している時には、コインチェッカー２０の先端側はコインＰ表面によって押されてデポジット硬貨通路９から退避されるものとなってラッチレバーブラケット１８のカスタムキーＱによる施錠方向への回転が許容されるものとなっている。
【００４３】
そして、扉を閉めてからカスタムキーＱをカスタムキー挿入シリンダー２８から引き抜くと係脱ピン１９が退避し、係脱プレート２２を介して、枚数切替プレート２３が自体の回動付勢によってコインメカフレーム７から開き、コインストップネジ２３ａが孔部から離脱され、有料硬貨通路８内に停留していたコインＰは下方側にある不図示の集金ボックス内に落下される。
【００４４】
その後、デポジット硬貨通路９内にコインＰが停留している間は、扉チェッカープレートが扉によって押されている限り、カスタムキー挿入シリンダー２８に挿入されているカスタムキーＱの施錠回転または解錠回転が何度でも行えるものとなる。また、カスタムキーＱの施錠状態で利用者が誤ってリセット用プッシュピン１２の押圧操作を行なってもデポジット硬貨通路９内に停留しているコインＰをコイン返却口２７に落下させないように保持される。このとき、有料硬貨通路８内のコインＰは既に存在しないためリセット用のプッシュピン１２の機能との関連性がないこと勿論である。
【００４５】
コインロッカーから荷物を取り出す場合には、カスタムキー挿入シリンダー２８にカスタムキーＱを挿入して該カスタムキーＱを解錠方向に回転することによって、ラッチＬが収納退避し、扉が開放される。
【００４６】
コインロッカーを最終的に使用しない場合には、カスタムキーＱを解錠方向に回転したままの状態でリセット用プッシュピン１２を押せば、リターン停留ブラケット１６のコインストップネジ１６ａが孔部から退避して、デポジット硬貨通路９内に停留していたコインＰがコイン返却口２７に落下される。
【図面の簡単な説明】
【００４７】
【図１】本発明を実施するための最良の形態におけるシステム本体の一例を示す正面図である。
【図２】同上の右側面図である。
【図３】同上の左側面図である。
【図４】同上の背面図である。
【図５】同上の平面図である。
【図６】同上のキーシリンダーの側面図である。
【図７】同じくコイン投入口の後方側におけるセレクターアームとリンクプレートの動作を説明する側面図である。
【図８】同じくコイン枚数切替プレートの動作説明図であり、（ａ）は閉じた状態の内面図、（ｂ）は同底面図である。
【図９】同じくコイン枚数切替プレートの動作説明図であり、（ａ）は開いた状態の内面図、（ｂ）は同底面図である。
【図１０】同じくリセット用プッシュピンの動作説明図であり、（ａ）は内面図、（ｂ）は底面図である。
【図１１】同じくリターンストッパー１５の動作を説明する内面図である。
【図１２】（ａ）乃至（ｄ）は有料硬貨通路に１００玉コインを三枚保留させ且つデポジット硬貨通路内に１００玉コインを一枚保留させる仕様による場合において、有料硬貨通路、デポジット硬貨通路内にそれぞれコインが導入される状態を順次に示すものである。
【図１３】（ａ）乃至（ｄ）は有料硬貨通路に１００玉コインを五枚保留させ且つデポジット硬貨通路内に１００玉コインを二枚保留させる仕様による場合において、有料硬貨通路、デポジット硬貨通路内にそれぞれコインが導入される状態を順次に示すものである。
【符号の説明】
【００４８】
Ｐ      コイン
Ｑ      カスタムキー
Ｌ      ラッチ
１      システム本体
２      前面フレーム
３      左側サイドフレーム
４      右側サイドフレーム
５      セレクターベースプレート
６      セレクターサブベースプレート
７      コインメカフレーム
８      有料硬貨通路
９      デポジット硬貨通路
１０    通路切替えレバー
１０ａ  突起
１０ｂ  突起
１１    余剰貨投入防止レバー
１２    リセット用プッシュピン
１３    リターンアーム
１４    リターン板バネ
１５    リターンストッパー
１５ａ  ガイド突起
１５ｂ  遮蔽部
１６    リターン停留ブラケット
１６ａ  係止片
１６ｂ  コインストップネジ
１７    リターン貨仮止めレバー
１７ａ  突起
１７ｂ  突起
１８    ラッチレバーブラケット
１８ａ  突起
１８ｂ  係止ピン
１８ｃ  係止ピン
１９    係脱ピン
２０    コインチェッカー
２１    チェッカーストッパー
２２    係脱プレート
２３    枚数切替プレート
２３ａ  コインストップネジ
２４    セレクターアーム
２５    リンクプレート
２６    コイン投入口
２７    コイン返却口
２８    カスタムキー挿入シリンダー
２９    マスターキー挿入シリンダー
３０    スライドフレーム
３１    マスターカム
【図１】
2007132014.tif 000003
【図２】
2007132014.tif 000004
【図３】
2007132014.tif 000005
【図４】
2007132014.tif 000006
【図５】
2007132014.tif 000007
【図６】
2007132014.tif 000008
【図７】
2007132014.tif 000009
【図８】
2007132014.tif 000010
【図９】
2007132014.tif 000011
【図１０】
2007132014.tif 000012
【図１１】
2007132014.tif 000013
【図１２】
2007132014.tif 000014
【図１３】
2007132014.tif 000015